【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、正の屈折力の第３レンズ群、正の屈折力の第４レンズ群より構成され、ズーミングに際して、前記第１レンズ群は不動であり、前記第２レンズ群、前記第３レンズ群、前記第４レンズ群が移動することによって隣り合うレンズ群の間隔が変化するズームレンズであって、広角端から望遠端へのズーミングにおける前記第２レンズ群の移動量をｍ２、前記第２レンズ群の焦点距離をｆ２、広角端における全系の焦点距離をｆｗとするとき、
−４．９＜ｍ２／ｆ２＜−３．７
−２．０＜ｆ２／ｆｗ＜−１．５
なる条件式を満足することを特徴とするズームレンズ。
【請求項２】
広角端から望遠端へのズーミングにおける前記第３レンズ群の移動量をｍ３とするとき、
−２５．０＜ｍ２／ｍ３＜−２．０
なる条件式を満足することを特徴とする請求項１に記載のズームレンズ。
【請求項３】
前記第１レンズ群は、１枚の負レンズと３枚以下の正レンズから構成されることを特徴とする請求項１または２に記載のズームレンズ。
【請求項４】
前記第２レンズ群は、物体側から像側へ順に、負レンズ、負レンズ、負レンズ、正レンズから構成されることを特徴とする請求項１乃至３のいずれか１項に記載のズームレンズ。
【請求項５】
前記第２レンズ群と前記第３レンズ群の間に開口絞りを有し、前記開口絞りはズーミングに際して不動であることを特徴とする請求項１乃至４のいずれか１項に記載のズームレンズ。
【請求項６】
前記第１レンズ群は最も像側に正の屈折力のレンズＧ１ｐｒを有し、該レンズＧ１ｐｒの材料の屈折率をＮ１ｐｒ、前記第１レンズ群に含まれる前記レンズＧ１ｐｒ以外の正の屈折力のレンズの材料の屈折率の平均値をＮ１ｐｆとするとき、
１．０５＜Ｎ１ｐｒ／Ｎ１ｐｆ＜１．４０
なる条件式を満足することを特徴とする請求項１乃至５のいずれか１項に記載のズームレンズ。
【請求項７】
前記第３レンズ群及び前記第４レンズ群に含まれる負レンズの材料の屈折率の平均値をＮ３４ｎ、前記第３レンズ群及び前記第４レンズ群に含まれる正レンズの材料の屈折率の平均値をＮ３４ｐとするとき、
１．１＜Ｎ３４ｎ／Ｎ３４ｐ＜１．３
なる条件式を満足することを特徴とする請求項１乃至６のいずれか１項に記載のズームレンズ。
【請求項８】
請求項１乃至７のいずれか１項に記載のズームレンズと、該ズームレンズによって形成される像を受光する撮像素子を有することを特徴とする撮像装置。
【手続補正２】
【補正対象書類名】明細書
【補正対象項目名】００３７
【補正方法】変更
【補正の内容】
【００３７】
−４．８５＜ｍ２／ｆ２＜−３．８０      ・・・（１ａ）
−２．００＜ｆ２／ｆｗ＜−１．５５      ・・・（２ａ）
−２３．５＜ｍ２／ｍ３＜−５．５        ・・・（３ａ）
１．０８＜Ｎ１ｐｒ／Ｎ１ｐｆ＜１．３５  ・・・（４ａ）
１．１５＜Ｎ３４ｎ／Ｎ３４ｐ＜１．２５  ・・・（５ａ）
本発明のズームレンズは、第１レンズ群Ｌ１を１枚の負レンズと３枚以下の正レンズで構成するのが望ましい。
【手続補正３】
【補正対象書類名】明細書
【補正対象項目名】００５４
【補正方法】変更
【補正の内容】
【００５４】
［数値実施例１］
単位 mm
面データ
面番号       r        d      nd         νd
1         78.363    1.55   1.85478    24.8 
2         30.860    6.28   1.59282    68.6 
3       -308.803    0.20 
4         30.208    3.59   1.83481    42.7 
5        100.485  (可変) 
6        248.972    0.80   1.91082    35.3 
7          7.731    3.28 
8        -42.970    0.65   1.83481    42.7 
9         30.582    1.39 
10        -21.227    0.60   1.83481    42.7 
11       -394.864    0.17 
12         29.903    2.14   1.95906    17.5 
13        -40.022  (可変) 
14(絞り)    ∞     (可変) 
15*         9.641    3.17   1.58313    59.4 
16       -195.002    4.23 
17         33.596    0.60   2.00100    29.1 
18          8.880    0.44 
19*        12.155    2.19   1.55332    71.7 
20       -164.942  (可変) 
21         13.336    3.19   1.63854    55.4 
22        -17.040    0.60   1.84666    23.9 
23        -55.163  (可変) 
24          ∞       1.97   1.51633    64.1 
25          ∞       1.00
像面        ∞
非球面データ
第15面
K =-1.03637e+000  A 4= 5.15644e-005  A 6= 8.02003e-008 
第19面
K =-7.32904e-001  A 4=-2.11685e-005  A 6= 5.90416e-007 
各種データ
ズーム比     19.69
広角     中間     望遠
焦点距離       3.78    28.09    74.43 
Fナンバー      1.85     2.68     2.88
半画角（度）  36.07     5.60     2.12 
像高           2.75     2.75     2.75 
レンズ全長    87.68    87.68    87.68 
BF             9.33    14.84     9.68 
d 5            0.94    23.29    28.88 
d13           29.83     7.48     1.90 
d14            7.64     2.85     2.85 
d20            4.84     4.12     9.28 
d23            7.04    12.55     7.39 
ズームレンズ群データ
群  始面    焦点距離
1    1      41.95
2    6      -7.34
3   14       ∞
4   15      23.08
5   21      19.79
6   24       ∞
【手続補正４】
【補正対象書類名】明細書
【補正対象項目名】００５５
【補正方法】変更
【補正の内容】
【００５５】
［数値実施例２］
単位 mm
面データ
面番号       r        d      nd         νd
1        156.468    1.65   1.80610    33.3 
2         48.625    5.92   1.43700    95.1 
3       -179.010    0.17 
4         65.127    2.83   1.49700    81.5 
5        432.018    0.17 
6         35.270    4.29   1.59522    67.7 
7        139.631  (可変) 
8        220.919    0.66   1.88300    40.8 
9          7.915    3.10 
10        487.280    0.60   2.00069    25.5 
11         50.122    1.30 
12        -21.009    0.60   1.91082    35.3 
13         42.671    0.17 
14         23.455    2.02   2.10205    16.8 
15        -73.508  (可変) 
16(絞り)    ∞     (可変) 
17*        11.018    3.24   1.58313    59.4 
18       -217.714    3.64 
19        -97.507    0.60   1.80610    33.3 
20         12.376    0.52 
21*        18.354    2.21   1.55332    71.7 
22        -29.919  (可変) 
23         15.788    3.01   1.59522    67.7 
24        -14.064    0.60   1.90366    31.3 
25        -29.892  (可変) 
26          ∞       1.97   1.51633    64.1 
27          ∞       1.00
像面        ∞
非球面データ
第17面
K =-2.48235e-001  A 4=-1.62827e-005  A 6=-1.20469e-007 
第21面
K =-5.88650e+000  A 4= 3.74746e-005  A 6=-5.23611e-007 
各種データ
ズーム比     29.59
広角     中間     望遠
焦点距離       3.90    42.44   115.42 
Fナンバー      1.85     2.94     3.30
半画角（度）  35.23     3.71     1.37 
像高           2.75     2.75     2.75 
レンズ全長   105.99   105.99   105.99 
BF            10.22    17.44     9.45 
d 7            0.83    33.21    38.15 
d15           38.98     6.60     1.66 
d16            6.55     3.86     3.09 
d22           12.11     7.59    16.35 
d25            7.93    15.15     7.15 
ズームレンズ群データ
群  始面    焦点距離
1    1      51.74
2    8      -7.76
3   16       ∞
4   17      26.55
5   23      22.10
6   26       ∞
【手続補正５】
【補正対象書類名】明細書
【補正対象項目名】００５６
【補正方法】変更
【補正の内容】
【００５６】
［数値実施例３］
単位 mm
面データ
面番号       r        d      nd         νd
1         80.533    1.63   1.80610    33.3 
2         35.312    6.55   1.43700    95.1 
3       -731.128    0.16 
4         66.197    2.31   1.49700    81.5 
5        239.131    0.17 
6         31.288    4.12   1.59522    67.7 
7        188.277  (可変) 
8        117.072    0.62   1.88300    40.8 
9          7.241    3.20 
10       -348.351    0.60   2.00069    25.5 
11         78.155    1.12 
12        -18.328    0.60   1.91082    35.3 
13         35.258    0.17 
14         22.320    1.92   2.10205    16.8 
15        -63.226  (可変) 
16(絞り)    ∞     (可変) 
17*         9.731    3.37   1.58313    59.4 
18        -72.681    2.96 
19        526.078    0.60   1.80610    33.3 
20          8.789    0.85 
21*        11.845    2.14   1.55332    71.7 
22        -62.598  (可変) 
23         15.631    3.15   1.59522    67.7 
24        -12.878    0.60   1.90366    31.3 
25        -27.059  (可変) 
26          ∞       1.97   1.51633    64.1 
27          ∞       1.00
像面        ∞
非球面データ
第17面
K =-4.50803e-001  A 4=-1.33946e-005  A 6=-2.84777e-007 
第21面
K =-1.31826e+000  A 4= 2.06647e-005  A 6= 1.32008e-006 
各種データ
ズーム比     22.27
広角     中間     望遠
焦点距離       3.94    38.76    87.68 
Fナンバー      1.85     2.68     2.88
半画角（度）  34.97     4.06     1.80 
像高           2.75     2.75     2.75 
レンズ全長    95.72    95.72    95.72 
BF             8.94    16.20    10.62 
d 7            0.66    28.95    33.27 
d15           34.24     5.95     1.64 
d16            4.56     3.17     3.11 
d22           10.48     4.62    10.25 
d25            6.64    13.90     8.33 
ズームレンズ群データ
群  始面    焦点距離
1    1      46.74
2    8      -7.09
3   16       ∞
4   17      22.97
5   23      21.44
6   26       ∞
【手続補正６】
【補正対象書類名】明細書
【補正対象項目名】００５７
【補正方法】変更
【補正の内容】
【００５７】
［数値実施例４］
単位 mm
面データ
面番号       r        d      nd         νd
1         53.156    1.29   2.00069    25.5 
2         34.139    4.62   1.43700    95.1 
3       -804.569    0.17 
4         32.500    3.35   1.43875    94.9 
5        116.329    0.17 
6         44.909    1.82   1.88300    40.8 
7         89.988  (可変) 
8        120.894    0.60   1.95375    32.3 
9          7.651    2.84 
10         63.868    0.60   1.83481    42.7 
11         26.578    1.60 
12        -16.232    0.60   1.71300    53.9 
13         25.881    0.17 
14         20.245    1.79   2.10300    18.1 
15       -100.309  (可変) 
16(絞り)    ∞     (可変) 
17*        10.374    3.64   1.58313    59.4 
18        -73.078    3.49 
19        -77.487    0.60   1.91082    35.3 
20         10.233    0.46 
21*        11.144    2.64   1.55332    71.7 
22        -25.870  (可変) 
23         16.078    2.92   1.59522    67.7 
24        -14.750    0.60   2.00100    29.1 
25        -28.599  (可変) 
26          ∞       1.97   1.51633    64.1 
27          ∞       1.00
像面        ∞
非球面データ
第17面
K =-3.95101e-001  A 4=-7.22781e-006  A 6=-1.67185e-007 
第21面
K =-1.49619e+000  A 4=-5.51867e-007  A 6= 7.68037e-007 
各種データ
ズーム比     19.34
広角     中間     望遠
焦点距離       4.33    37.32    83.84 
Fナンバー      1.85     2.68     2.88
半画角（度）  32.43     4.22     1.88 
像高           2.75     2.75     2.75 
レンズ全長    94.99    94.99    94.99 
BF             8.94    16.59    12.16 
d 7            1.24    27.12    31.07 
d15           32.11     6.23     2.28 
d16            6.21     4.09     3.10 
d22           12.52     6.98    12.41 
d25            6.64    14.30     9.86 
ズームレンズ群データ
群  始面    焦点距離
1    1      44.92
2    8      -6.94
3   16       ∞
4   17      23.22
5   23      22.79
6   26       ∞
【手続補正７】
【補正対象書類名】明細書
【補正対象項目名】００５９
【補正方法】変更
【補正の内容】
【００５９】
図９において、１０はビデオカメラ本体、１１は実施例１乃至４で説明したいずれかのズームレンズによって構成された撮影光学系である。１２はカメラ本体に内蔵され、撮影光学系１１によって形成される被写体像を受光するＣＣＤセンサやＣＭＯＳセンサ等の固体撮像素子である。１３は固体撮像素子１２によって光電変換された被写体像に対応する情報を記録するメモリである。１４は撮影した１２によって光電変換された被写体像を観察するための電子ビューファインダーである。